(57)【要約】【課題】簡単な構成で棚部材を作業性の良い高さ位置に移動する。【解決手段】断熱箱体１１の内部に、４枚の上棚部材１２Ａ〜１２Ｄと３枚の下棚部材１３Ａ〜１３Ｃが上下移動可能に配設される。両棚部材の４隅部に対応して、上下方向に循環走行する無端チェン２２，２３が配設される。各上棚部材１２Ａ〜１２Ｄに、無端チェン２２，２３の第１直線走行部が通過する上透孔が開設される。第１下棚部材１３Ａに、無端チェン２２，２３の第２直線走行部が通過する下透孔が開設される。各無端チェン２２，２３に、対応する上棚部材１２Ａ〜１２Ｄの上係合部に下方から係合して上棚部材１２Ａ〜１２Ｄを上下移動させる上吊り具３１Ａ〜３１Ｄが配設される。最下位の第４上棚部材１２Ｄに対応する第４上吊り具３１Ｄは、第１下棚部材１３Ａの下係合部に下方から係合して上下移動させる。【選択図】  図１
2004224561.tif 000002
【特許請求の範囲】
【請求項１】
棚枠（１１）の内部に配設されて上下に移動可能な上棚部材（１２）および下棚部材（１３）と、
前記棚枠（１１）に配設されて上下方向に循環走行する複数の無端索体（２２，２３）と、
前記上棚部材（１２）に設けられた上係合部（３２）に開設されて、前記各無端索体（２２，２３）における上下方向に走行する一方の直線走行部が通過する上透孔（３３）と、
前記下棚部材（１３）に設けられた下係合部（３５）に開設されて、前記各無端索体（２２，２３）における上下方向に走行する他方の直線走行部が通過する下透孔（３６）と、
前記各無端索体（２２，２３）に配設され、前記上棚部材（１２）の上係合部（３２）に下方から係合して、該無端索体（２２，２３）の正逆方向の走行により上棚部材（１２）を上下移動させる上吊り具（３１）と、
前記各無端索体（２２，２３）に配設され、前記下棚部材（１３）の下係合部（３５）に下方から係合して、該無端索体（２２，２３）の正逆方向の走行により下棚部材（１３）を上下移動させる下吊り具（３１Ｄ）とを備え、
前記上吊り具（３１）が上棚部材（１２）の上係合部（３２）に係合して該上棚部材（１２）を上下移動する際には、前記下吊り具（３１Ｄ）と下棚部材（１３）の下係合部（３５）とは係合せず、かつ下吊り具（３１Ｄ）が下棚部材（１３）の下係合部（３５）に係合して該下棚部材（１３）を上下移動する際には、上吊り具（３１）と上棚部材（１２）の上係合部（３２）とは係合しない関係で、前記上吊り具（３１）と下吊り具（３１Ｄ）とが各無端索体（２２，２３）に配設されている
ことを特徴とする棚部材の昇降装置。
【請求項２】
前記各棚部材（１２，１３）の各側方において一対の無端索体（２２，２３）が並列に配設され、各側方において一方の無端索体（２２）と他方の無端索体（２３）とは逆向きに循環走行するよう構成される請求項１記載の棚部材の昇降装置。
【請求項３】
前記棚枠（１１）の内部には、前記上棚部材（１２）が複数上下移動可能に配設されると共に、これら上部棚群の下位に前記下棚部材（１３）が上下移動可能に配設され、この下棚部材（１３）には別種の別下棚部材（１３Ｂ，１３Ｃ）が所定高さ寸法で離間可能な状態で連結部材（３４）により相互に連結され、
前記各無端索体（２２，２３）には、前記上棚部材（１２）の配設数に対応する数の前記上吊り具（３１）が、無端索体（２２，２３）の走行方向に所定間隔離間して配設され、
前記各上棚部材（１２）に開設された上透孔（３３）は、上位のものと下位のものとで異なる形状または寸法に設定されると共に、前記上吊り具（３１）は、対応する上棚部材（１２）の上係合部（３２）には係合し、かつその下位に位置する上棚部材（１２）の上透孔（３３）は通過可能に設定されている請求項１または２記載の棚部材の昇降装置。
【請求項４】
前記上部棚群における最下位の上棚部材（１２Ｄ）に対応する上吊り具（３１Ｄ）が、前記下棚部材（１３）を上下移動させる下吊り具を兼用する請求項３記載の棚部材の昇降装置。
【発明の詳細な説明】
【０００１】
【発明の属する技術分野】
この発明は、棚部材の昇降装置に関し、更に詳細には、食器等の物品を収納する食器消毒保管庫や冷温蔵庫等において使用される上下移動可能な棚部材の昇降装置に関するものである。
【０００２】
【従来の技術】
例えば食器消毒保管庫では、箱体内に多段的に固定配置した各棚部材に対して食器等を出し入れする際に、高い位置の棚部材あるいは低い位置の棚部材に対する食器等の出し入れ作業は、踏み台を用いたり、あるいは腰を曲げたままの作業となり、煩雑で煩わしい作業となっていた。そこで、上下に移動可能に構成した各棚部材を可撓性のワイヤで相互に連結し、最上位の棚部材に連結したワイヤを昇降機構により巻上げたり繰出すことで、棚部材を食器等を出し入れし易い高さ位置まで移動させるものが提案されている。しかし、全ての棚部材をワイヤで相互に連結する構成では、最上位の棚部材を最上部まで吊り上げた状態において、中段より下位に位置する棚部材に関しては、これを作業性が良好となる位置まで上昇させることはできず、依然として下位に位置する棚部材に対する食器等の出し入れ作業に際して、作業者は腰を曲げる等の悪い作業姿勢を強いられていた。
【０００３】
前述した問題に対処するものとして、棚枠の内部において上下移動可能に配設した複数の棚部材を、上部棚群と下部棚群とに分け、上下の棚群を別々に上下移動させるものがある（例えば、特許文献１）。この特許文献１に開示の昇降装置では、上部棚群に関しては夫々を専用の棚ワイヤロープで相互に連結すると共に、上部棚群における最上位の棚部材に連結した上段棚用ワイヤを、箱体上部に配設した無端チェンの所定位置に連結し、該無端チェンの正逆回転により上部棚群を上下移動させる。これに対し、下部棚群に関しては夫々を棚柱により相互に連結すると共に、下部棚群における最上位の棚部材に連結した下段棚用ワイヤを、前記無端チェンに配設されたフックに係脱可能なワイヤリング軸に連結する。そして、無端チェンと一体的に移動するフックをワイヤリング軸に係合させることで、積重なっている上部棚群を載置した状態で、下部棚群を作業性の良い高さ位置まで上昇させ得るよう構成されている。
【０００４】
また、全ての棚部材に連結した吊り具を、棚枠上部に配設された対応する巻上げ装置に接続すると共に、中段位置の棚部材に連結した補助吊り具を補助巻上げ装置に接続し、モータに配設された電磁クラッチにより、巻上げ装置を回転する状態と補助巻上げ装置を回転する状態とに切り替えることで、中段より下位の棚部材を作業性の良い高さ位置まで上昇させ得るようにしたものもある（例えば、特許文献２）。
【０００５】
【特許文献１】
特公平７−８４２４２号公報
【特許文献２】
特許２６６２８３７号公報
【０００６】
【発明が解決しようとする課題】
しかし、特許文献１に開示の昇降装置では、特殊な部品が必要になると共に部品点数が増え、構造が複雑になって組立てやメンテナンスが煩雑になると共に、製造コストが嵩む問題がある。また特許文献２に開示の昇降装置においても、モータからの動力伝達を切り替えるための電磁クラッチや、全ての棚部材を上下移動させる巻上げ装置と、下段側の棚部材を上下移動させる補助巻上げ装置とが別々に必要となり、部品点数が増加して製造コストが嵩む欠点が指摘される。更に、特許文献１に開示の昇降装置と同様に、構造が複雑になって組立てやメンテナンスが煩雑になる問題もある。
【０００７】
【発明の目的】
本発明は、前述した従来の技術に内在している前記課題に鑑み、これを好適に解決するべく提案されたものであって、簡単な構成で棚部材を作業性の良い高さ位置に移動可能な棚部材の昇降装置を提供することを目的とする。
【０００８】
【課題を解決するための手段】
前記課題を克服し、所期の目的を好適に達成するため、本発明に係る棚部材の昇降装置は、
棚枠の内部に配設されて上下に移動可能な上棚部材および下棚部材と、
前記棚枠に配設されて上下方向に循環走行する複数の無端索体と、
前記上棚部材に設けられた上係合部に開設されて、前記各無端索体における上下方向に走行する一方の直線走行部が通過する上透孔と、
前記下棚部材に設けられた下係合部に開設されて、前記各無端索体における上下方向に走行する他方の直線走行部が通過する下透孔と、
前記各無端索体に配設され、前記上棚部材の上係合部に下方から係合して、該無端索体の正逆方向の走行により上棚部材を上下移動させる上吊り具と、
前記各無端索体に配設され、前記下棚部材の下係合部に下方から係合して、該無端索体の正逆方向の走行により下棚部材を上下移動させる下吊り具とを備え、
前記上吊り具が上棚部材の上係合部に係合して該上棚部材を上下移動する際には、前記下吊り具と下棚部材の下係合部とは係合せず、かつ下吊り具が下棚部材の下係合部に係合して該下棚部材を上下移動する際には、上吊り具と上棚部材の上係合部とは係合しない関係で、前記上吊り具と下吊り具とが各無端索体に配設されていることを特徴とする。
【０００９】
【発明の実施の形態】
次に、本発明に係る棚部材の昇降装置につき、好適な実施例を挙げて、添付図面を参照しながら以下説明する。
【００１０】
図１に示す如く、実施例に係る棚部材の昇降装置が採用される食器消毒保管庫（保管庫）１０は、棚枠をなす断熱構造の断熱箱体１１の内部に、複数の上棚部材１２および複数の下棚部材１３が、上下の関係で上下に移動可能に配設され、これら各棚部材１２，１３が、後述する昇降装置１４により上下移動されるよう構成される。なお、断熱箱体１１の前面には、当該断熱箱体１１に開設した開口部を開閉可能に閉成する断熱扉（図示せず）が配設され、該開口部を介して前記各棚部材１２，１３に対する食器や該食器が収容されたラック等の物品Ｍの出し入れが行なわれる。また断熱箱体１１の内部には、図示しない加熱装置により熱風が循環供給され、各棚部材１２，１３に載置された食器等が加熱されて消毒・乾燥されるようになっている。
【００１１】
前記断熱箱体１１の上部に機械室１５が画成され、該機械室１５に昇降装置１４の主要部が配設されている。すなわち、機械室１５の前後に離間する位置には、図２に示す如く、左右方向（幅方向）に延在する一対の駆動軸１６，１７が平行状態で回転可能に配設されている。前側に位置する前駆動軸１６の左右両軸端部に前駆動スプロケット１８，１８が一体的に回転するよう配設されると共に、後側に位置する後駆動軸１７の左右両軸端部に後駆動スプロケット１９，１９が一体的に回転するよう配設される。また、前後の各駆動スプロケット１８，１８，１９，１９に対応する断熱箱体１１の内部における下方位置に、前後の従動スプロケット２０，２０，２１，２１が夫々回転可能に配設される。そして、前側において上下に対応する各前駆動スプロケット１８と前従動スプロケット２０とに昇降用の前無端チェン（無端索体）２２が夫々巻掛けられると共に、後側において上下に対応する各後駆動スプロケット１９と後従動スプロケット２１とに昇降用の後無端チェン（無端索体）２３が夫々巻掛けられている。
【００１２】
前記機械室１５には、前後の駆動軸１６，１７の間に正逆回転可能な駆動モータとしてのギヤモータ２４が配設され、該モータ２４の出力軸２４ａに一体的に回転するよう配設された第１スプロケット２５と、前駆動軸１６に一体的に回転するよう配設された第２スプロケット２６との間に、第１駆動チェン２７が巻掛けられている。また、前駆動軸１６には第３スプロケット２８が一体的に回転するよう配設され、該第３スプロケット２８と、後駆動軸１７に一体的に回転するよう配設された第４スプロケット２９との間に、第２駆動チェン３０が巻掛けられている。すなわち、前記ギヤモータ２４を正逆回転することで、前後の駆動軸１６，１７は同一向きに正転および逆転し、これによって断熱箱体１１の内部４隅部において上下方向に延在する４つの昇降用の無端チェン２２，２２，２３，２３が同一向きに循環走行するよう構成される。実施例では、各無端チェン２２，２３における前側に位置して上下方向に走行する第１直線走行部（一方の直線走行部）が上方へ移動する場合を正転とし、後側に位置して上下方向に走行する第２直線走行部（他方の直線走行部）が上方へ移動する場合を逆転と指称する。
【００１３】
前記各昇降用の無端チェン２２，２３には、その走行方向に所定間隔離間して、前記上棚部材１２の配設数に対応する数（実施例では４個）の上吊り具３１が配設されて一体的に移動するよう構成されている。なお実施例では、上吊り具３１に関し、図１において上位側から順に、第１上吊り具３１Ａ、第２上吊り具３１Ｂ、第３上吊り具３１Ｃ、第４上吊り具３１Ｄと区別して指称する。そして、これら４個の吊り具３１Ａ，３１Ｂ，３１Ｃ，３１Ｄは、夫々が形状あるいは寸法が異なるよう設定されている。例えば、図１において最上位に位置する第１上吊り具３１Ａは、図３に示す如く、幅方向に離間する一対の直線状の板材の前後寸法が短かいのに対し、その下位に位置する第２上吊り具３１Ｂは、図４に示す如く、幅方向に離間する一対の直線状の板材の前後寸法が長く設定される。また、更にその下位に位置する第３上吊り具３１Ｃは、図５に示す如く、幅方向に離間する一対のコ字状に形成された板材の前後寸法が短かいのに対し、その下位に位置する第４上吊り具３１Ｄは、図６に示す如く、幅方向に離間する一対のコ字状に形成された板材の前後寸法が長く設定されている。前記４本の無端チェン２２，２２，２３，２３に配設される夫々の第１上吊り具３１Ａ、第２上吊り具３１Ｂ、第３上吊り具３１Ｃ、第４上吊り具３１Ｄは、対応する（同種の）４つの上吊り具３１が同一水平レベルに臨むよう設定され、後述するように４つの上吊り具３１によって各対応の上棚部材１２の４隅部を支持して上下移動させるよう構成される。
【００１４】
なお、前記ギヤモータ２４は、上下の各棚部材１２，１３の位置を検知するセンサやモータ２４の回転数を検知する回転検出器等からの信号等に基づいて、図示しない制御手段により運転制御され、物品Ｍの出し入れ作業に際しては、断熱箱体１１内に配設されている上下の各棚部材１２，１３を、予め設定された出し入れ作業が楽に行ない得る出し入れ位置に停止するよう設定されている。
【００１５】
前記断熱箱体１１の内部に配設される前記上棚部材１２は、実施例では、上下４段設けられ、上位側から順に、第１上棚部材１２Ａ、第２上棚部材１２Ｂ、第３上棚部材１２Ｃ、第４上棚部材１２Ｄと区別して指称し、また前記下棚部材１３は、上下３段設けられ、上位側から順に、第１下棚部材１３Ａ、第２下棚部材１３Ｂ、第３下棚部材１３Ｃと区別して指称する。各上棚部材１２の形状は同一であって、例えば第１上棚部材１２Ａを例に挙げれば、図７に示す如く、複数の縦材と横材とを組合わせて平面略矩形状に形成される。この第１上棚部材１２Ａにおける幅方向の両端縁には、該第１上棚部材１２Ａの各側方において前記前後に並列の関係で配設される前後の無端チェン２２，２３における両第１直線走行部の離間寸法だけ前後に離間して、外側方に延出する上係合部３２，３２が夫々突設されている。そして、各上係合部３２には、前後の無端チェン２２，２３における第１直線走行部が通過する上透孔３３が開設されて、該無端チェン２２，２３の循環走行時には第１直線走行部が該上透孔３３を上下に通過するよう構成してある。なお、この上透孔３３に関しても、各段の上棚部材１２Ａ，１２Ｂ，１２Ｃ，１２Ｄに対応して、上位側から順に、第１上透孔３３Ａ、第２上透孔３３Ｂ、第３上透孔３３Ｃ、第４上透孔３３Ｄと区別して指称する。
【００１６】
前記上透孔３３は、各段の上棚部材１２Ａ，１２Ｂ，１２Ｃ，１２Ｄ毎に異なる形状あるいは寸法に設定されている。すなわち、最上位に位置する第１上棚部材１２Ａにおける第１上透孔３３Ａは、図３に示す如く、前記昇降用の無端チェン２２，２３に配設された第１上吊り具３１Ａの通過を許容しない形状あるいは寸法に設定され、第１上吊り具３１Ａが上係合部３２に対して下方から係合した状態で、該無端チェン２２，２３における第１直線走行部を第１上吊り具３１Ａが上下方向に移動することにより、第１上棚部材１２Ａが上下移動される。また、第１上棚部材１２Ａの下位に位置する第２上棚部材１２Ｂにおける第２上透孔３３Ｂは、図４に示す如く、前記昇降用の無端チェン２２，２３に配設された第２上吊り具３１Ｂの通過を許容しない形状あるいは寸法に設定され、第２上吊り具３１Ｂが上係合部３２に対して下方から係合した状態で、該無端チェン２２，２３における第１直線走行部を第２上吊り具３１Ｂが上下方向に移動することにより、第２上棚部材１２Ｂが上下移動される。但し、第２上透孔３３Ｂは、前記第１上吊り具３１Ａの通過を許容するよう設定され、第１上吊り具３１Ａが第１上棚部材１２Ａの上係合部３２から離間して無端チェン２２，２３における第１直線走行部を下方に移動する際には、該第１上吊り具３１Ａが第２上棚部材１２Ｂの上係合部３２に係合することなく第２上透孔３３Ｂを通過し得るようになっている。
【００１７】
前記第２上棚部材１２Ｂの下位に位置する第３上棚部材１２Ｃにおける第３上透孔３３Ｃは、図５に示す如く、前記昇降用の無端チェン２２，２３に配設された第３上吊り具３１Ｃの通過を許容しない形状あるいは寸法に設定され、第３上吊り具３１Ｃが上係合部３２に対して下方から係合した状態で、該無端チェン２２，２３における第１直線走行部を第３上吊り具３１Ｃが上下方向に移動することにより、第３上棚部材１２Ｃが上下移動される。但し、第３上透孔３３Ｃは、前記第１上吊り具３１Ａおよび第２上吊り具３１Ｂの通過を許容するよう設定され、第１上吊り具３１Ａおよび第２上吊り具３１Ｂが対応する第１上棚部材１２Ａおよび第２上棚部材１２Ｂの上係合部３２から離間して無端チェン２２，２３における第１直線走行部を下方に移動する際には、該第１上吊り具３１Ａおよび第２上吊り具３１Ｂが第３上棚部材１２Ｃの上係合部３２に係合することなく第３上透孔３３Ｃを通過し得るようになっている。
【００１８】
また、第３上棚部材１２Ｃの下位に位置する最下位の第４上棚部材１２Ｄにおける第４上透孔３３Ｄは、図６に示す如く、前記昇降用の無端チェン２２，２３に配設された第４上吊り具３１Ｄの通過を許容しない形状あるいは寸法に設定され、該無端チェン２２，２３における第１直線走行部を第４上吊り具３１Ｄが上下方向に移動することにより、第４上棚部材１２Ｄが上下移動される。但し、第４上透孔３３Ｄは、前記第１上吊り具３１Ａ、第２上吊り具３１Ｂおよび第３上吊り具３１Ｃの通過を許容するよう設定され、第１上吊り具３１Ａ、第２上吊り具３１Ｂおよび第３上吊り具３１Ｃが対応する第１上棚部材１２Ａ、第２上棚部材１２Ｂおよび第３上棚部材１２Ｃの上係合部３２から離間して無端チェン２２，２３における第１直線走行部を下方に移動する際には、該第１上吊り具３１Ａ、第２上吊り具３１Ｂおよび第３上吊り具３１Ｃが第４上棚部材１２Ｄの上係合部３２に係合することなく第４上透孔３３Ｄを通過し得るようになっている。
【００１９】
すなわち、各上棚部材１２Ａ，１２Ｂ，１２Ｃ，１２Ｄに開設された対応する上透孔３３Ａ，３３Ｂ，３３Ｃ，３３Ｄは、上位に位置する上透孔３３と、その下位に位置する上透孔３３とで異なる形状または寸法に設定される。また、各上棚部材１２Ａ，１２Ｂ，１２Ｃ，１２Ｄに対応する上吊り具３１Ａ，３１Ｂ，３１Ｃ，３１Ｄは、対応する上棚部材１２の上係合部３２には係合し、かつその下位に位置する上棚部材１２の上透孔３３は通過可能に設定されて、４枚の上棚部材１２Ａ，１２Ｂ，１２Ｃ，１２Ｄが相互に積重なった状態から（図１１参照）、上下の上吊り具３３，３３の離間長さだけ相互に離間して、各段の上棚部材１２Ａ，１２Ｂ，１２Ｃ，１２Ｄに物品Ｍを出し入れ可能な状態とし得るよう構成される（図１４，図１５参照）。
【００２０】
前記３枚の下棚部材１３は、その基本形状は同一であって、図８および図９に示す如く、複数の縦材と横材とを組合わせて平面略矩形状に形成されると共に、上下に対向する下棚部材１３，１３同士は、その各４隅部において連結部材としての棚柱３４により夫々連結されている。すなわち、３枚の下棚部材１３は、棚柱３４の高さだけ離間した状態で相互に平行に臨む状態を維持して上下移動するよう構成される。この下部棚群における最上位に位置する第１下棚部材１３Ａの幅方向の両端縁には、前後に並列の関係で配設される前後の無端チェン２２，２３における両第２直線走行部の離間寸法だけ前後に離間して、外側方に延出する下係合部３５，３５が夫々突設されている。そして、各下係合部３５には、前後の無端チェン２２，２３における第２直線走行部が通過する下透孔３６が開設されて、該無端チェン２２，２３の循環走行時には第２直線走行部が該下透孔３６を上下に通過するよう構成される。実施例においては、第１下棚部材１３Ａの下位に棚柱３４を介して連結される２枚の下棚部材１３Ｂ，１３Ｃが、下係合部を備えていない別種の別下棚部材となっている。
【００２１】
前記第１下棚部材１３Ａにおける下透孔３６は、図１０に示す如く、前記昇降用の無端チェン２２，２３に配設された第４上吊り具３１Ｄの通過を許容しない形状あるいは寸法に設定される。また前記下部棚群は、図１に示す如く、前記断熱箱体１１の内部適宜位置に配設されたストッパ３７によって、最下部位置が規制され、このときの第１下棚部材１３Ａにおける下係合部３５の高さ位置が、前記無端チェン２２，２３における下側の曲線走行部より上方に位置するよう設定される。すなわち、無端チェン２２，２３の第１直線走行部を下方に移動した後に曲線走行部を経て第２直線走行部を上方に移動する第４上吊り具３１Ｄが、前記下係合部３５に対して下方から係合して第１下棚部材１３Ａ、すなわち下部棚群を上方に移動させ得るよう構成してある。このように実施例では、第４上棚部材１２Ｄを上下移動させる第４上吊り具３１Ｄが、第１下棚部材１３Ａ（上部棚郡）を上下移動させる下吊り具を兼用している。
【００２２】
なお、第１下棚部材１３Ａに設けられる各下係合部３５は、前記無端チェン２２，２３の第１直線走行部を下方に移動する各上吊り具３１が干渉しない位置に設けられている。また、図１１に示す如く、前記ストッパ３７で規制されて最下部に位置する下部棚群における第１下棚部材１３Ａの上に４枚の上棚部材１２が積重なっている状態で、第１上吊り具３１Ａが第４上棚部材１２Ｄの下方に位置すると共に、第４上吊り具３１Ｄが第１下棚部材１３Ａの下方に臨むよう設定され、この状態から前記無端チェン２２，２３を正転または逆転することで、上部棚群または下部棚群の何れかの上下移動が行なわれるようになっている。すなわち、前記各上吊り具３１Ａ〜３１Ｄが対応する各上棚部材１２Ａ〜１２Ｄの上係合部３２に係合して該上棚部材１２Ａ〜１２Ｄを上下移動する際には、前記下吊り具として機能する第４上吊り具３１Ｄは第１下棚部材１３Ａの下係合部３５とは係合せず、かつ第４上吊り具３１Ｄが第１下棚部材１３Ａの下係合部３５に係合して該第１下棚部材１３Ａを上下移動する際には、各上吊り具３１Ａ〜３１Ｄと対応する各上棚部材１２Ａ〜１２Ｄの上係合部３２とは係合しない関係で、前記各上吊り具３１Ａ〜３１Ｄが各無端チェン２２，２３に配設されている。
【００２３】
【実施例の作用】
次に、実施例に係る棚部材の昇降装置の作用につき、以下に説明する。なお、全ての棚部材１２，１３に食器等の物品Ｍが載置されておらず、図１１に示す如く、下部棚群が前記ストッパ３７で規制された最下部に位置すると共に、第１下棚部材１３Ａの上に４枚の上棚部材１２が積重なっているものとする。また、前記断熱箱体１１に対する物品Ｍの出し入れを良好に行ない得る棚部材の位置は、ストッパ３７で規制されて最下部に位置している下部棚群における第１下棚部材１３Ａの位置（出し入れ位置）に設定されているものとする。
【００２４】
前述した状態で、前記ギヤモータ２４を逆転方向に回転することで、前記４本の昇降用の無端チェン２２，２３に配設されている各第４上吊り具３１Ｄが、第２直線走行部を上方に移動する。これにより、下部棚群における最上位の第１下棚部材１３Ａの各下係合部３５に対して第４上吊り具３１Ｄが夫々下方から係合し、該第１下棚部材１３Ａ、すなわち下部棚群が上方に移動し、図１２に示す如く、前記第２下棚部材１３Ｂが出し入れ位置に到来したときに、前記ギヤモータ２４が停止する。これにより作業者は、第２下棚部材１３Ｂに対して物品Ｍを、腰を曲げることなく楽な姿勢で容易に載置する（収容する）ことができる。
【００２５】
前記ギヤモータ２４を更に逆転方向に回転し、前記第４上吊り具３１Ｄを第２直線移動部において上方に移動すると、下部棚群も上方に移動し、図１３に示す如く、前記第３下棚部材１３Ｃが出し入れ位置に到来し、このときに前記ギヤモータ２４が停止する。従って、第３下棚部材１３Ｃに対して物品Ｍを、作業者は楽な姿勢で容易に載置することができる。
【００２６】
次に、前記ギヤモータ２４を正転方向に回転することで、前記４本の昇降用の無端チェン２２，２３の各第４上吊り具３１Ｄは、前記第１下棚部材１３Ａの下係合部３５に係合した状態で第２直線走行部を下方に移動し、これに伴い下部棚群も下方に移動する。そして、下部棚群が前記ストッパ３７により下方への移動が規制された最下部に到来した以後は、前記第４上吊り具３１Ｄが第１下棚部材１３Ａの下係合部３５から下方に離間し、下部棚群の上下移動はなされなくなる。
【００２７】
前記第４上吊り具３１Ｄが第１下棚部材１３Ａの下係合部３５から下方に離間したときにギヤモータ２４が停止し、上下の棚群は図１１に示す初期位置に戻る。このとき、第１下棚部材１３Ａの上に積重なっている上部棚群における第１上棚部材１２Ａは、前記の出し入れ位置に臨んでいるから、該第１上棚部材１２Ａに対して物品Ｍを楽な姿勢で載置し得る。
【００２８】
前述したギヤモータ２４の正転方向への回転により、前記４本の昇降用の無端チェン２２，２３の各第１上吊り具３１Ａは、第１直線走行部を上方に移動する。すなわち、前記第１下棚部材１３Ａの上に積重なっている上部棚群の下方に臨んでいた前記第１上吊り具３１Ａが、第４〜２の上棚部材１２Ｄ，１２Ｃ，１２Ｂの各上透孔３３Ｄ，３３Ｃ，３３Ｂを下方から通過した後、第１上棚部材１２Ａの上係合部３２に対して下方から係合し、該第１上棚部材１２Ａが上方に移動される。これにより、第１上棚部材１２Ａは、図１４に示す如く、下位の第２上棚部材１２Ｂから上方に離間し、両上棚部材１２Ａ，１２Ｂの間には、第１上吊り具３１Ａと第２上吊り具３１Ｂとの離間距離に相当する空間が画成される。この状態で、第２上棚部材１２Ｂは出し入れ位置に臨んでいるから、該第２上棚部材１２Ｂに対して物品Ｍを楽な姿勢で載置することができる。
【００２９】
以後は、第２上吊り具３１Ｂおよび第３上吊り具３１Ｃにより対応する第２上棚部材１２Ｂおよび第３上棚部材１２Ｃを順次上方に移動し、ギヤモータ２４が停止して、その下位に位置する第３上棚部材１２Ｃおよび第４上棚部材１２Ｄが出し入れ位置に臨む毎に、対応する上棚部材１２Ｃ，１２Ｄに対して物品Ｍを載置する。この場合も、前述したと同様に、各上棚部材１２Ｃ，１２Ｄに対する物品Ｍの載置作業は、腰を曲げることなく楽な姿勢で行なうことができる。そして、前記第１上棚部材１２Ａが最上部に到来してギヤモータ２４が停止することで、図１５に示す如く、前記第４上吊り具３１Ｄにより対応する第４上棚部材１２Ｄが第１下棚部材１３Ａから上方に離間する位置に支持され、これにより出し入れ位置に臨む該第１下棚部材１２Ａに対して楽な姿勢で物品Ｍを載置し得る。
【００３０】
なお、前記各棚部材１２，１３から物品Ｍを取出す場合は、前述とは逆に、全ての棚部材１２，１３を順次出し入れ位置に停止保持する各工程を行なうことで、各棚部材１２，１３からの物品Ｍの取出し作業を楽な姿勢で行なうことができる。
【００３１】
すなわち、実施例の昇降装置１４では、４本の無端チェン２２，２３を正逆方向に走行するだけで、上部棚群と下部棚群とを別々に上下移動させて、全ての棚部材１２，１３を、作業者による食器等の物品Ｍの出し入れ作業を良好に行ない得る高さ位置まで移動させることができる。しかも、上部棚群と下部棚群との上下移動の切り替えは、無端チェン２２，２３を逆転させるだけでよいから、昇降装置１４の構成を簡略化して、製造コストを低廉に抑えると共に、組立てやメンテナンス等も簡単となる。
【００３２】
【別実施例】
図１６〜図２２は、別実施例に係る昇降装置を示すものであって、その基本的な構成は前述した実施例と同一であるので、異なる部分についてのみ説明し、同一部材については同じ符号を付して示す。すなわち、図１６および図１７に示す第１別実施例に係る昇降装置３８は、前記ギヤモータ２４に対して第１スプロケット２５、第１駆動チェン２７および第２スプロケット２６を介して回転駆動される前駆動軸１６には、駆動ギヤ３９が一体的に回転するよう配設される。また、駆動ギヤ３９に噛合する従動ギヤ４０が配設される回転軸４１に第５スプロケット４２が一体的に回転するよう配設され、該第５スプロケット４２と、前記後駆動軸１７に一体的に回転するよう配設された第６スプロケット４３との間に第３駆動チェン４４が巻掛けられている。従って、ギヤモータ２４を回転することで、前後の駆動軸１６，１７は逆方向に回転し、前側の駆動軸１６で回転される前無端チェン２２，２２と、後側の駆動軸１７で回転される後無端チェン２３，２３とが逆向きに循環走行するよう構成される。そして、この第１別実施例においては、前無端チェン２２では、前述した実施例と同様に前側に位置して上下方向に走行する直線走行部が第１直線走行部（一方の直線走行部）となり、後側に位置して上下方向に走行する直線走行部が第２直線走行部（他方の直線走行部）となるのに対し、後無端チェン２３では、前側に位置して上下方向に走行する直線走行部が第２直線走行部（他方の直線走行部）となり、後側に位置して上下方向に走行する直線走行部が第１直線走行部（一方の直線走行部）となる。
【００３３】
前記前後の無端チェン２２，２３には、前述したと同様の第１〜第４の上吊り具３１Ａ〜３１Ｄが走行方向に所定間隔離間して夫々配設され、図１６に示す如く、各上吊り具３１Ａ〜３１Ｄは、前後の無端チェン２２，２３の第１直線走行部または第２直線走行部において、同種のものが同一水平レベルを維持した状態で上下移動するよう設定される。また、前記上棚部材１２に設けられる各上係合部３２は、前後の無端チェン２２，２３における外側に位置する第１直線走行部に対応するよう位置し、該第１直線走行部を上下移動する各上吊り具３１Ａ〜３１Ｄにより対応する各上棚部材１２Ａ〜１２Ｄが上下移動されるよう構成される。
【００３４】
これに対し、前記第１下棚部材１３Ａに設けられる各下係合部３５は、前後の無端チェン２２，２３における内側に位置する第２直線走行部に対応するよう位置し、該第２直線走行部を上下移動する各第４上吊り具３１Ｄにより該第１下棚部材１３Ａが上下移動されるよう構成される。
【００３５】
すなわち、第１別実施例においても、前述した実施例と同様に、４本の無端チェン２２，２３を正逆方向に走行するだけで、上部棚群と下部棚群とを別々に上下移動させて、全ての棚部材１２，１３を、作業者による食器等の物品Ｍの出し入れ作業を良好に行ない得る高さ位置まで移動させることができる。しかも、上部棚群と下部棚群との上下移動の切り替えは、無端チェン２２，２３を逆転させるだけでよいから、昇降装置３８の構成を簡略化して、製造コストを低廉に抑えると共に、組立てやメンテナンス等も簡単となる。更に第１別実施例では、前後に位置する無端チェン２２，２３の外側に位置する第１直線走行部を上下移動する第１〜第４の上吊り具３１Ａ〜３１Ｄで上棚部材１２Ａ〜１２Ｄを上下移動させ、内側に位置する第２直線走行部を上下移動する第４上吊り具３１Ｄで第１下棚部材１３Ａ（下部棚群）を上下移動させるよう構成したから、各上吊り具３１Ａ〜３１Ｄの移動位置は、断熱箱体１１の中央に対して前後で対称となる。これにより、上下の棚部材１２，１３の形状を、前後（前後の無端チェン２２，２３の離間方向）で対称とすることができ、各棚部材１２，１３を安定的に上下移動させることが可能となる。
【００３６】
図１８に示す第２別実施例の昇降装置４９では、前記前後の駆動軸１６，１７と直交する前後方向に延在して回転可能に配設される作動軸５０に第７スプロケット５１が一体回転可能に配設され、該第７スプロケット５１と前記ギヤモータ２４の第１スプロケット２５との間に第４駆動チェン５２が巻掛けられている。また作動軸５０の両軸端には、対応する前後の駆動軸１６，１７に一体的に配設された前後の従動ベベルギヤ５３，５４に噛合する前後の駆動ベベルギヤ５５，５６が一体的に回転するよう配設されており、該作動軸５０の正逆回転により前後の駆動軸１６，１７が同一向きに正転および逆転するよう構成されている。なお、前記機械室１５には、昇降装置４９における駆動部と干渉しない位置に、ファンモータ５７や電装箱５８および排気ダクト５９が配置されている。
【００３７】
図１９に示す第３別実施例の昇降装置６０は、前記第２別実施例に対して、前記ギヤモータ２４から作動軸５０への動力伝達手段のみが異なっている。すなわち、両軸端に前述した前後の駆動ベベルギヤ５５，５６が配設された作動軸５０にウォームホイール６１が一体的に回転するよう配設され、該ウォームホイール６１に、前記ギヤモータ２４の出力軸２４ａに配設されたウォーム６２が噛合するよう構成されている。従って、ギヤモータ２４を正逆回転することで、ウォーム６２とウォームホイール６１との噛合作用下に、前後の駆動軸１６，１７が同一向きに正転および逆転する。
【００３８】
図２０に示す第４別実施例の昇降装置６３は、前記第２および第３別実施例とは異なり、前記ギヤモータ２４により前駆動軸１６を直接回転駆動するよう構成したものである。すなわち、前駆動軸１６にウォームホイール６４が一体的に回転するよう配設され、該ウォームホイール６４に、前記ギヤモータ２４の出力軸２４ａに配設されたウォーム６５が噛合するよう構成される。従って、ギヤモータ２４を正逆回転することで、ウォーム６５とウォームホイール６４との噛合作用下に、前駆動軸１６が正逆回転される。なお、前後の駆動軸１６，１７は、前述した実施例と同様に、第３スプロケット２８、第４スプロケット２９および第２駆動チェン３０により連結され、両駆動軸１６，１７は同一向きに回転するようになっている。
【００３９】
前述した第２〜第４の別実施例においても、前述した実施例と同様の作用効果を奏する。また第３および第４の別施例においては、ギヤモータ２４からの動力伝達手段として、セルフロック性を有するウォーム６２，６５とウォームホイール６１，６４を用いることで、前記の無端チェン２２，２３が切れたり、ギヤモータ２４のブレーキが故障した場合においても、上下の棚部材１２，１３の落下を抑制することが可能となり、安全性が向上する。すなわち、別途安全装置を設ける必要はなく、部品点数を低減することができる。更に、昇降装置６０，６３における駆動部の小型化を図り得るから、小さな機械装置に採用することが可能となる。なお、第４別実施例のように前駆動軸１６にギヤモータ２４を直結する構成では、動力伝達部品を削減してコストを低廉に抑えることができると共に、メンテナンス性も良好となる。
【００４０】
図２１は、昇降装置における上下の棚部材に案内構造を追加した第５別実施例を示すものであって、前記各上棚部材１２の各上係合部３２に、上下に貫通する通孔４５を穿設し、上下方向に整列する４つの通孔４５に、断熱箱体１１に配設されて上下方向に延在するガイドロッド４６が挿通されている。すなわち、各上棚部材１２は、その４隅部において４本のガイドロッド４６により支持された状態で上下移動するよう構成される。なお、下棚部材１３に関しては、図示しないが、第１下棚部材１３Ａの下係合部３５に通孔を設けると共に、第２および第３下棚部材１３Ｂ，１３Ｃの第４上吊り具３１Ｄと干渉しない位置に延出部を設け、該延出部に穿設した通孔および下係合部３５に設けた通孔に共通的にガイドロッドを挿通するよう構成する。
【００４１】
そして、このように構成することで、上下の棚部材１２，１３を安定して上下移動し、各棚部材１２，１３が揺れて断熱箱体１１の内部を傷付けたりするのを防止することができる。また各棚部材１２，１３の揺れを防止することで、該棚部材１２，１３の外形寸法を大きくすることが可能となり、物品Ｍの載置量を稼ぐことができる。更に、各棚部材１２，１３の４隅部をガイドロッド４６で支持する構成によれば、前述したセルフロック性を有する動力伝達手段を用いない各実施例の構成においても、無端チェン２２，２３が切れたり、ギヤモータ２４のブレーキが故障した場合であっても、通孔４５とガイドロッド４６との摺接により上下の棚部材１２，１３の落下を抑制することが可能となり、安全性が向上する。
【００４２】
なお、上下の棚部材１２，１３を案内する構造は、図２１に示す構成に限定されるものでなく、例えば図２２に示す第６別実施例の如く、上下の各係合部３２，３５の側端部にＣチャンネル状の案内部材４７を設け、該案内部材４７が案内されるＴ字状に形成されたガイド部材４８を断熱箱体１１に配設するようにしてもよい。
【００４３】
【変更例】
本願は前述した実施例の構成に限定されるものでなく、その他の構成を適宜に採用することができる。
１．実施例では各棚部材を４本の無端チェンにより上下移動する場合で説明したが、各棚部材をガイド部材等により安定して上下移動可能に支持したもとで、幅方向に対向して配設された一対の無端チェンによって上下移動させる構成を採用し得る。
２．棚部材を上下移動する無端索体としては、無端チェンに限らず無端状に形成したワイヤやベルト等であってもよい。
３．上部棚群および下部棚群の数は、実施例に示すものに限定されず、少なくとも各１つずつあればよく、上棚部材の数と、無端チェンに配設される上吊り具との数が一致していればよい。
４．下棚部材を上下移動するための下吊り具に関しては、実施例では上部棚群における最下位の上棚部材を上下移動するための上吊り具を用いたが、下棚部材を上下移動するための専用の下吊り具を無端チェンに配設してもよい。
５．下部棚群に関しては、上下の各下棚部材を可撓性を有するワイヤ等の索体で連結した構成を採用し得る。この場合に、複数の下棚部材を、上棚部材と同一の構成とし、無端索体に走行方向に所定間隔離間して複数配設した対応する下吊り具により各下棚部材を上下移動させることができる。
６．第２および第３の別実施例において、作動軸に配設される前後の駆動ベベルギヤと前後の駆動軸に配設される前後の従動ベベルギヤとの噛合位置を変更することで、前後の駆動軸を逆方向に回転する構成とし得る。また、両別実施例におけるセルフロック性を有する動力伝達手段としては、ウォームとウォームホイールに限定されるものでなく、ハイポイドギヤ等、その他のセルフロック性を有するものを適宜に採用し得る。
７．実施例、第１別実施例および第４別実施例では、ギヤモータを前駆動軸に連結して回転駆動する場合で説明したが、後駆動軸に連結して回転駆動するよう構成してもよい。
８．各棚部材の各係合部を、物品が収納される室の外部に延出させ、該係合部に係合して棚部材を上下移動させる上下の吊り具を配設した無端チェンも室外に配置する構成を採用し得る。この構成によれば、物品を収納する室内に無端チェン等が露出しないから、見栄えを良くすることができる。
９．実施例では、昇降装置を配設する保管庫として食器消毒保管庫を例に挙げて説明したが、本願はこれに限定されるものでなく、棚枠内に複数の棚部材が上下移動可能に配設されるものであれば、例えば冷蔵庫、温蔵庫等、その他の保管庫に採用することができる。
【００４４】
【発明の効果】
以上説明した如く、本発明に係る棚部材の昇降装置によれば、無端索体における上下方向に走行する一方の直線走行部を移動する上吊り具により上棚部材を上下移動させ、また無端索体における上下方向に走行する他方の直線走行部を移動する下吊り具により下棚部材を上下移動させるよう構成したから、簡単な構成で、物品の出し入れ作業を良好に行ない得る高さ位置に各棚部材を移動させることができる。また、昇降装置の構成を簡略化し得るから、部品点数を低減して製造コストを低廉に抑え得ると共に、組立てやメンテナンス等が容易となる。
【００４５】
前記棚部材の各側方において並列に配設された一対の無端索体を相互に逆向きに循環走行するよう構成することで、上下の棚部材の形状を、該無端チェンの離間方向で対称とすることができ、該棚部材の安定した上下移動を達成し得る。また、上下の棚部材の夫々を複数配設した場合においても、全ての棚部材を、物品の出し入れ作業を良好に行ない得る高さ位置に移動させることができ、作業者は物品の出し入れ作業を楽に行ない得る。更に、最下位の上棚部材を上下移動させる上吊り具を、下棚部材を上下移動させる下吊り具として兼用することで、更に部品点数を低減することができる。
【図面の簡単な説明】
【図１】本発明の好適な実施例に係る棚部材の昇降装置を採用した食器消毒保管庫を示す概略構成図である。
【図２】実施例に係る昇降装置の概略斜視図である。
【図３】実施例に係る第１上棚部材に開設された第１上透孔と、対応する第１上吊り具との関係を示す要部概略平面図である。
【図４】実施例に係る第２上棚部材に開設された第２上透孔と、対応する第２上吊り具との関係を示す要部概略平面図である。
【図５】実施例に係る第３上棚部材に開設された第３上透孔と、対応する第３上吊り具との関係を示す要部概略平面図である。
【図６】実施例に係る第４上棚部材に開設された第４上透孔と、対応する第４上吊り具との関係を示す要部概略平面図である。
【図７】実施例に係る第１上棚部材を示す概略平面図である。
【図８】実施例に係る第１下棚部材を示す概略平面図である。
【図９】実施例に係る第２または第３の下棚部材を示す概略平面図である。
【図１０】実施例に係る第１下棚部材に開設された下透孔と、対応する第４上吊り具との関係を示す要部概略平面図である。
【図１１】実施例に係る昇降装置の動作説明図であって、最下部に位置する下部棚群における第１下棚部材の上に４枚の上棚部材が積載されている状態を示す。
【図１２】実施例に係る昇降装置の動作説明図であって、下部棚群における第２下棚部材を物品の出し入れ位置まで上昇させた状態を示す。
【図１３】実施例に係る昇降装置の動作説明図であって、下部棚群における第３下棚部材を物品の出し入れ位置まで上昇させた状態を示す。
【図１４】実施例に係る昇降装置の動作説明図であって、第１上棚部材を上昇して第２上棚部材に対する物品の出し入れを可能とした状態を示す。
【図１５】実施例に係る昇降装置の動作説明図であって、第４上棚部材を上昇して第１下棚部材に対する物品の出し入れを可能とした状態を示す。
【図１６】第１別実施例に係る昇降装置を採用した食器消毒保管庫を示す概略構成図である。
【図１７】第１別実施例に係る昇降装置の駆動部を示す概略平面図である。
【図１８】第２別実施例に係る昇降装置の駆動部を示す概略平面図である。
【図１９】第３別実施例に係る昇降装置の駆動部を示す概略平面図である。
【図２０】第４別実施例に係る昇降装置の駆動部を示す概略平面図である。
【図２１】棚部材の案内構造を追加した第５別実施例に係る昇降装置の上棚部材を示す概略平面図である。
【図２２】棚部材の別の案内構造を採用した第６別実施例に係る昇降装置の棚部材の要部概略平面図である。
【符号の説明】
１１  断熱箱体（棚枠），１２  上棚部材，１２Ｄ  第４上棚部材
１３  下棚部材，１３Ｂ  第２下棚部材（別下棚部材）
１３Ｃ  第３下棚部材（別下棚部材），２２  前無端チェン（無端索体）
２３  後無端チェン（無端索体），３１  上吊り具
３１Ｄ  第４上吊り具（下吊り具），３２  上係合部，３３  上透孔
３４  棚柱（連結部材），３６  下透孔，３５  下係合部
【図１】
2004224561.tif 000003
【図２】
2004224561.tif 000004
【図３】
2004224561.tif 000005
【図４】
2004224561.tif 000006
【図５】
2004224561.tif 000007
【図６】
2004224561.tif 000008
【図７】
2004224561.tif 000009
【図８】
2004224561.tif 000010
【図９】
2004224561.tif 000011
【図１０】
2004224561.tif 000012
【図１１】
2004224561.tif 000013
【図１２】
2004224561.tif 000014
【図１３】
2004224561.tif 000015
【図１４】
2004224561.tif 000016
【図１５】
2004224561.tif 000017
【図１６】
2004224561.tif 000018
【図１７】
2004224561.tif 000019
【図１８】
2004224561.tif 000020
【図１９】
2004224561.tif 000021
【図２０】
2004224561.tif 000022
【図２１】
2004224561.tif 000023
【図２２】
2004224561.tif 000024